【手続補正書】
【提出日】平成20年10月10日(2008.10.10)
【手続補正１】
【補正対象書類名】特許請求の範囲
【補正対象項目名】全文
【補正方法】変更
【補正の内容】
【特許請求の範囲】
【請求項１】
個人的に調整可能な履物であって、
（ａ）つま先部分と、かかと部分と、中間部分とを含む、少なくとも１つの靴底層であって、前記中間部分は前記つま先部分と前記かかと部分の両方に一体的に形成されており、前記中間部分は前記層を実質的に垂直に通過する複数の開口部を有し、前記中間部分は弾性的に可撓性であって、前記層の厚さが大きく変わることなく、前記つま先部分と前記かかと部分の相対的縦方向変位が前記層の長さを変えることを可能にする、靴底層と、
（ｂ）前記つま先部分と前記かかと部分の両方に関連する保持機構であって、前記つま先部分と前記かかと部分との間の複数の相対位置のいずれかを保持するために形成された保持機構と
を含む履物。
【請求項２】
前記つま先部分、前記かかと部分、および前記中間部分が、全て均質の組成物から一体的に形成されている請求項１に記載の履物。
【請求項３】
前記複数の開口部が上から見て格子細工パターンを提供するように展開される請求項１に記載の履物。
【請求項４】
前記少なくとも１つの靴底層が、足の支持物を提供する上部表面を有し、前記複数の開口部が、ほぼ連続的な足支持物を提供するように約２．５センチメートルを超えない最大開き縦寸法を有するように形成される請求項１に記載の履物。
【請求項５】
前記少なくとも１つの靴底層が、地面との係合のために構成された底表面を有する下部靴底層と足を支持するための上部表面を有する上部靴底層とを含む、少なくとも２つの靴底層として実現される請求項１に記載の履物。
【請求項６】
前記上部靴底層が前記下部靴底層よりも軟らかい材料から形成される請求項５に記載の履物。
【請求項７】
前記下部靴底層と前記上部靴底層が、これらの間に、前記つま先部分と前記かかと部分との間に縦方向に延在する少なくとも１つの縦チャネルを画定するように形状化され、前記保持機構は、前記チャネル内に配備されたエレメントを含み、前記エレメントは前記つま先部分と前記かかと部分の第１に固定され、前記つま先部分と前記かかと部分の第２に対して変位可能である請求項５に記載の履物。
【請求項８】
前記靴底層は靴底配置の少なくとも一部を形成し、前記靴底配置は、前記つま先部分と前記かかと部分との間に縦方向に延在する少なくとも１つの縦チャネルを含み、前記保持機構は、前記チャネル内に配備されたエレメントを含み、前記エレメントは前記つま先部分と前記かかと部分の第１に固定され、前記つま先部分と前記かかと部分の第２に対して変位可能である請求項１に記載の履物。
【請求項９】
前記保持機構はさらに、前記エレメントおよび前記つま先部分と前記かかと部分の前記第２とに関連する段付き抵抗配置を含み、前記段付き抵抗配置は、前記靴底配置の複数の様々な長さに対応する複数の所定の相対位置の間の前記つま先部分と前記かかと部分の相対変位に対抗する抵抗力を提供し、前記靴底配置の長さは、前記抵抗力に打ち勝つための力を手動で加えることによって、手動で調整可能であり、また、手動で加える力がない場合には、前記つま先部分と前記かかと部分は所定の相対位置の１つに保留される請求項８に記載の履物。
【請求項１０】
前記中間部分が弾力的に偏向されて、前記つま先部分と前記かかと部分を、前記靴底配置の最大長さに対応する所定の相対位置に分離し、前記保持機構はさらに、
（ａ）前記エレメントに連結されて前記靴底配置から延びる可撓性ストラップであって、前記つま先部分と前記かかと部分の前記第２に関して前記可撓性ストラップに加えられる張力は前記つま先部分と前記かかと部分を共に引っ張り、これによって前記靴底配置の長さを短くする、可撓性ストラップと、
（ｂ）複数の位置で前記可撓性ストラップをロックするためのロック装置とを含み、これによって所望の長さで前記靴底配置を保持する
請求項９に記載の履物。
【請求項１１】
前記中間部分が弾力的に偏向されて、前記つま先部分と前記かかと部分を、前記靴底配置の最大長さに対応する所定の相対位置に分離し、前記保持機構はさらに、
（ａ）前記エレメントに連結されて前記靴底配置から延びる可撓性ストラップであって、前記つま先部分と前記かかと部分の前記第２に関して前記可撓性ストラップに加えられる張力は前記つま先部分と前記かかと部分を共に引っ張り、これによって前記靴底配置の長さを短くする、可撓性ストラップと、
（ｂ）複数の位置で前記可撓性ストラップをロックするためのロック装置とを含み、これによって所望の長さに前記靴底配置を保持する
請求項８に記載の履物。
【請求項１２】
前記ロック装置が、前記可撓性ストラップの一端部分に連結されたフックループファスナの第１部分と、前記靴底配置の上向き表面に連結されたフックループファスナの相補的部分とを含み、前記可撓性ストラップは前記上向き表面の上に折り重ねられて、前記靴底配置を所望の長さにロックする請求項１１に記載の履物。
【請求項１３】
前記保持機構が、前記エレメントの位置を前記つま先部分と前記かかと部分の前記第２に対してロックするための、手動で解除でき手動で噛合せ可能なロック機構をさらに含む請求項８に記載の履物。
【請求項１４】
前記保持機構が、前記つま先部分と前記かかと部分の相対位置をロックするための、手動で解除でき手動で噛合せ可能なロック機構を含む請求項１に記載の履物。
【請求項１５】
つま先部分と、かかと部分と、履物の長さを調整するための機構とを有する個人的に調整可能な履物であって、次のうちの１つを含む、すなわち、
（ａ）前記つま先部分と前記かかと部分の間に位置する１つまたは複数のセグメントであって、前記セグメントはこれらを容易に前記つま先部分とかかと部分の間に位置付けることができ、およびそこから容易に外すことができるようになっており、またはこれらを互いに離隔させるかまたは互いに近づけて、所望の履物の長さとなるようになっている１つまたは複数のセグメント、または、
（ｂ）（ｉ）前記つま先部分と前記かかと部分の中間における延伸可能かつ収縮可能なベロー状構造、および（ｉｉ）前記つま先部分から前記かかと部分に向かってその中に延在する、もしくは前記かかと部分から前記つま先部分に向かってその中に延在し、前記ベロー状構造を通過し、係合部材を有する舌革、および（ｉｉｉ）前記つま先部分と前記かかと部分のいずれかに配設された舌革受入れ箇所であって、前記舌革の前記係合部材との係合およびそれからの離脱を可能にするようになっており、これによって前記舌革と舌革受入れ箇所が離れると、前記つま先部分と前記かかと部分は互いに押されるか互いに引っ張り合うことができ、これによって舌革と舌革受入れ箇所は係合されて履物を所望の長さで固定することができる、舌革受入れ箇所、または
（ｃ）前記つま先部分から、前記かかと部分から延在する細長い突出部におけるチャネルに向かって延在し、前記チャネルと一般に滑り式に結合するか、またはこの逆もあり得る１つまたは複数の突出部であって、履物が所望の長さに調整可能である１つまたは複数の突出部
のうちの１つを含む履物。
【請求項１６】
履物の長さを固定するための機構があり、前記機構には靴のサイズを指示するための指示印が付属している請求項１５に記載の履物。
【請求項１７】
つま先部分またはかかと部分のいずれかの少なくとも１つが、履物の長さを固定するための機構を露出するように構成されている請求項１６に記載の履物。
【請求項１８】
つま先部分から前記かかと部分に向かってその中に延在するか、もしくはその逆に延在する舌革と、つま先部分とかかと部分のいずれかの、舌革が延在する基ではない部分に配設された舌革受入れ箇所とをさらに含み、前記舌革受入れ箇所は前記舌革の前記係合部材との係合およびそれからの離脱を可能にするようになっており、これによって、前記舌革と舌革受入れ箇所が離れると、前記つま先部分と前記かかと部分は互いに近づいたり離れたりするように滑ることができ、これによって舌革と舌革受入れ箇所は係合されて履物を所望の長さで固定することができる請求項１６に記載の履物。
【請求項１９】
履物の長さを固定するための機構が、舌革の孔の舌革受入れ箇所における窪みとの整合を容易にする装置を含む請求項１６に記載の履物。
【請求項２０】
舌革が舌革受入れ箇所における窪みに対応する突出部を含む、形式（ｂ）または（ｃ）いずれかの請求項１５に記載の履物。
【請求項２１】
１つまたは複数の突出部が、三角形、Ｔ形状、Ｌ形状、Ｊ形状、Ｙ形状、錨形状、十字形状のいずれであってもよい輪郭を有する、形式（ｂ）または（ｃ）の請求項１５に記載の履物。
【請求項２２】
着用者の足を履物に保持するための少なくとも１つのつま先ストラップまたは足ストラップを含む請求項１５に記載の履物。
【請求項２３】
つま先部分と、かかと部分と、それ自体の長さを調整するための機構とを有する個人的に調整可能な履物であって、（ｉ）前記履物の長さに本質的に縦方向に整列し、前記つま先部分から前記かかと部分に向かってその中に延在し、または前記かかと部分から前記つま先部分に向かってその中に延在する、１つまたは複数のロッド状の部材と、（ｉｉ）前記１つまたは複数のロッド状の部材の上に、かつつま先部分とかかと部分の間に滑り式に配設され、この目的のために、１つまたは複数のロッド状部材を通すようにした少なくとも１つの貫通孔を有するセグメントと、（ｉｉｉ）かかと部分またはつま先部分の、１つまたは複数のロッド状部材が延在する部分ではない、いずれかの部分に配設されたロック機構とをさらに含み、１つまたは複数のロッド状部材が延在する部分ではない、つま先部分またはかかと部分は、前記１つまたは複数のロッド状部材と整合可能なボアを含み、前記ロック機構は、１つまたは複数のロッド状部材を、履物の所望の長さに対応する所定の箇所に、前記１つまたは複数のロッド状部材の上に位置付けられた適当な数のセグメントによって固定されるように設計されている、個人的に調整可能な履物。
【請求項２４】
つま先部分と、かかと部分と、それ自体の長さを調整するための機構とを有する個人的に調整可能な履物であって、（ｉ）前記つま先部分と前記かかと部分の中間における延伸可能かつ収縮可能なベロー状構造、および（ｉｉ）前記つま先部分から前記かかと部分に向かってその中に延在する、もしくは前記かかと部分から前記つま先部分に向かってその中に延在し、前記ベロー状構造を通過し、係合部材を有する舌革、および（ｉｉｉ）前記つま先部分と前記かかと部分のいずれかに配設された舌革受入れ箇所であって、前記舌革の前記係合部材との係合およびそれからの離脱を可能にするようになっており、これによって前記舌革と舌革受入れ箇所が離れると、前記つま先部分と前記かかと部分は互いに押されるか互いに引っ張り合うことができ、これによって舌革と舌革受入れ箇所は係合されて履物を所望の長さで固定することができる舌革受入れ箇所を含む、個人的に調整可能な履物。
【請求項２５】
つま先部分と、かかと部分と、それ自体の長さを調整するための機構とを有する個人的に調整可能な履物であって、（ｉ）つま先部分から、またかかと部分から延在する細長い突出部の中のチャネルに向かってこれに概して滑り式に結合する、またはこの逆になっている１つまたは複数の突出部と、（ｉｉ）つま先部分から、舌革が延在する基である部分ではないかかと部分に向かって、またはその逆に向かって延在し、舌革が延在する基ではない部分と同一平面にある舌革と、（ｉｉｉ）つま先部分またはかかと部分の、舌革が延在する部分ではないいずれかの部分に配設された舌革受入れ箇所であって、前記舌革の前記係合部材との係合および解除を可能にし、これによって、前記舌革と舌革受入れ箇所が解除されると、前記つま先部分と前記かかと部分を互いに向かってまたは互いに離れるように滑らせることができ、これに応じて前記舌革と舌革受入れ箇所を係合させて所望の長さで履物を固定することができる舌革受入れ箇所を含む、個人的に調整可能な履物。